【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
オペレーティングシステムから印刷するための描画命令情報を取得し、当該取得した印刷するための描画命令情報を画像形成装置の描画命令情報に変換する変換手段を備える印刷制御装置であって、
前記オペレーティングシステムから取得した印刷するための描画命令情報を保持するテンプレート情報と印刷設定情報とを対応付けて記憶する記憶手段と、
前記オペレーティングシステムから取得する印刷するための描画命令情報に、前記テンプレート情報に対応する印刷設定情報を適用するか否かを指定するテンプレート適用指定手段と、
前記テンプレート適用指定手段で印刷設定を適用すると指定された場合、前記印刷するための描画命令情報が前記記憶手段に予め記憶されているテンプレート情報と一致するか否かを判定するテンプレート判定手段と、
前記テンプレート判定手段で前記描画命令情報が前記記憶手段に記憶されているテンプレート情報に一致すると判定された場合に、前記テンプレート情報に対応付けられている印刷設定情報を取得する取得手段と、
前記取得手段で取得された印刷設定情報を用いて前記変換手段で変換された前記描画命令情報を、画像形成装置へ出力する出力手段と
を備えることを特徴とする印刷設定制御装置。
【請求項２】
前記テンプレート判定手段で前記描画命令情報が前記記憶手段に記憶されているテンプレート情報に一致しないと判定された場合に、前記描画命令情報に対応付ける印刷設定情報を指定する第１の印刷設定指定手段とを備え、
前記記憶手段は、前記印刷設定指定手段で指定された印刷設定情報と前記描画命令情報を保持するテンプレート情報とを対応付けて記憶することを特徴とする請求項１に記載の印刷設定制御装置。
【請求項３】
前記オペレーティングシステムから取得した印刷するための描画命令情報からページで共通する描画命令情報を抽出する抽出手段と、
前記テンプレート情報は前記抽出手段で抽出されたページで共通する描画命令情報を保持することを特徴とする請求項１または２に記載の印刷設定制御装置。
【請求項４】
前記ページで共通する描画命令情報が抽出できたか否かを判定する描画命令情報抽出判定手段と、
前記描画命令情報抽出判定手段で、ページで共通する描画命令情報が抽出できないと判定された場合に、印刷設定情報を指定する第２の印刷設定指定手段とを備え、
前記出力手段は、前記第２の印刷設定指定手段で指定された印刷設定情報を用いて前記変換手段で変換された前記描画命令情報を、画像形成装置へ出力することを特徴とする請求項３に記載の印刷設定制御装置。
【請求項５】
前記テンプレート適用指定手段は、抽出するページを指定することを特徴とし、
前記抽出手段は、指定されたページで共通する描画命令情報を抽出することを特徴とする請求項３または４に記載の印刷設定制御装置。
【請求項６】
前記テンプレート情報はイメージデータであることを特徴とし、前記テンプレート判定手段は、前記描画命令情報をイメージ化して判定することを特徴とする請求項１乃至５のいずれか１項に記載の印刷設定制御装置。
【請求項７】
オペレーティングシステムから印刷するための描画命令情報を取得し、当該取得した印刷するための描画命令情報を画像形成装置の描画命令情報に変換する変換手段と、当該印刷するための描画命令情報を保持するテンプレート情報と印刷設定情報とを対応付けて記憶する記憶手段と、を備える印刷設定制御装置の制御方法であって、
前記オペレーティングシステムから取得する印刷するための描画命令情報に対応する印刷設定を適用するか否かを指定するテンプレート適用指定ステップと、
前記テンプレート適用指定ステップで印刷設定を適用すると指定された場合、前記印刷するための描画命令情報が前記記憶手段に予め記憶されているテンプレート情報と一致するか否かを判定するテンプレート判定ステップと、
前記テンプレート判定ステップで前記描画命令情報が前記記憶手段に記憶されているテンプレート情報に一致すると判定された場合に、前記テンプレート情報に対応付けられている印刷設定情報を取得する取得ステップと、
前記取得ステップで取得された印刷設定情報を用いて前記変換手段で変換された前記描画命令情報を、画像形成装置へ出力する出力ステップと
を備えることを特徴とする印刷設定制御装置の制御方法。
【請求項８】
オペレーティングシステムから印刷するための描画命令情報を取得し、当該取得した印刷するための描画命令情報を画像形成装置の描画命令情報に変換する変換手段を備える印刷設定制御装置を、
前記オペレーティングシステムから取得した印刷するための描画命令情報を保持するテンプレート情報と印刷設定情報とを対応付けて記憶する記憶手段と、
前記オペレーティングシステムから取得する印刷するための描画命令情報に対応する印刷設定を適用するか否かを指定するテンプレート適用指定手段と、
前記テンプレート適用指定手段で印刷設定を適用すると指定された場合、前記印刷するための描画命令情報が前記記憶手段に予め記憶されているテンプレート情報と一致するか否かを判定するテンプレート判定手段と、
前記テンプレート判定手段で前記描画命令情報が前記記憶手段に記憶されているテンプレート情報に一致すると判定された場合に、前記テンプレート情報に対応付けられている印刷設定情報を取得する取得手段と、
前記取得手段で取得された印刷設定情報を用いて前記変換手段で変換された前記描画命令情報を、画像形成装置へ出力する出力手段として機能させるプログラム。
【手続補正２】
【補正対象書類名】明細書
【補正対象項目名】０００８
【補正方法】変更
【補正の内容】
【０００８】
本発明は、印刷実行時に印刷設定のためのユーザインターフェース（以後ＵＩと称す）で複雑な設定を行うことなく、印刷条件を容易に適用することができる印刷設定制御装置、その制御方法及びプログラムを提供することを目的とする。
【手続補正３】
【補正対象書類名】明細書
【補正対象項目名】０００９
【補正方法】変更
【補正の内容】
【０００９】
上記目的を達成するため、請求項１に記載の発明は、オペレーティングシステムから印刷するための描画命令情報を取得し、当該取得した印刷するための描画命令情報を画像形成装置の描画命令情報に変換する変換手段を備える印刷制設定御装置であって、前記オペレーティングシステムから取得した印刷するための描画命令情報を保持するテンプレート情報と印刷設定情報とを対応付けて記憶する記憶手段と、前記オペレーティングシステムから取得する印刷するための描画命令情報に、前記テンプレート情報に対応する印刷設定情報を適用するか否かを指定するテンプレート適用指定手段と、前記テンプレート適用指定手段で印刷設定を適用すると指定された場合、前記印刷するための描画命令情報が前記記憶手段に予め記憶されているテンプレート情報と一致するか否かを判定するテンプレート判定手段と、前記テンプレート判定手段で前記描画命令情報が前記記憶手段に記憶されているテンプレート情報に一致すると判定された場合に、前記テンプレート情報に対応付けられている印刷設定情報を取得する取得手段と、前記取得手段で取得された印刷設定情報を用いて前記変換手段で変換された前記描画命令情報を、画像形成装置へ出力する出力手段とを備えることを特徴とする。
【手続補正４】
【補正対象書類名】明細書
【補正対象項目名】００１０
【補正方法】変更
【補正の内容】
【００１０】
また、請求項２に記載の発明は、請求項１に記載の印刷設定制御装置において、前記テンプレート判定手段で前記描画命令情報が前記記憶手段に記憶されているテンプレート情報に一致しないと判定された場合に、前記描画命令情報に対応付ける印刷設定情報を指定する第１の印刷設定指定手段とを備え、前記記憶手段は、前記印刷設定指定手段で指定された印刷設定情報と前記描画命令情報を保持するテンプレート情報とを対応付けて記憶することを特徴とする。
【手続補正５】
【補正対象書類名】明細書
【補正対象項目名】００１１
【補正方法】変更
【補正の内容】
【００１１】
また、請求項３に記載の発明は、請求項１または請求項２に記載の印刷設定制御装置において、前記オペレーティングシステムから取得した印刷するための描画命令情報からページで共通する描画命令情報を抽出する抽出手段と、前記テンプレート情報は前記抽出手段で抽出されたページで共通する描画命令情報を保持することを特徴とする。
【手続補正６】
【補正対象書類名】明細書
【補正対象項目名】００１２
【補正方法】変更
【補正の内容】
【００１２】
また、請求項４に記載の発明は、請求項３に記載の印刷設定制御装置において、前記ページで共通する描画命令情報が抽出できたか否かを判定する描画命令情報抽出判定手段と、前記描画命令情報抽出判定手段で、ページで共通する描画命令情報が抽出できないと判定された場合に、印刷設定情報を指定する第２の印刷設定指定手段とを備え、前記出力手段は、前記第２の印刷設定指定手段で指定された印刷設定情報を用いて前記変換手段で変換された前記描画命令情報を、画像形成装置へ出力することを特徴とする。
【手続補正７】
【補正対象書類名】明細書
【補正対象項目名】００１３
【補正方法】変更
【補正の内容】
【００１３】
また、請求項５に記載の発明は、請求項３または４に記載の印刷設定制御装置において、前記テンプレート適用指定手段は、抽出するページを指定することを特徴とし、前記抽出手段は、指定されたページで共通する描画命令情報を抽出することを特徴とする。
【手続補正８】
【補正対象書類名】明細書
【補正対象項目名】００１４
【補正方法】変更
【補正の内容】
【００１４】
また、請求項６に記載の発明は、請求項１乃至５のいずれか１項に記載の印刷設定制御装置において、前記テンプレート情報はイメージデータであることを特徴とし、前記テンプレート判定手段は、前記描画命令情報をイメージ化して判定することを特徴とする。
【手続補正９】
【補正対象書類名】明細書
【補正対象項目名】００１５
【補正方法】変更
【補正の内容】
【００１５】
また、請求項７に記載の発明は、オペレーティングシステムから印刷するための描画命令情報を取得し、当該取得した印刷するための描画命令情報を画像形成装置の描画命令情報に変換する変換手段と、当該印刷するための描画命令情報を保持するテンプレート情報と印刷設定情報とを対応付けて記憶する記憶手段と、を備える印刷設定の制御方法であって、前記オペレーティングシステムから取得する印刷するための描画命令情報に対応する印刷設定を適用するか否かを指定するテンプレート適用指定ステップと、前記テンプレート適用指定ステップで印刷設定を適用すると指定された場合、前記印刷するための描画命令情報が前記記憶手段に予め記憶されているテンプレート情報と一致するか否かを判定するテンプレート判定ステップと、前記テンプレート判定ステップで前記描画命令情報が前記記憶手段に記憶されているテンプレート情報に一致すると判定された場合に、前記テンプレート情報に対応付けられている印刷設定情報を取得する取得ステップと、前記取得ステップで取得された印刷設定情報を用いて前記変換手段で変換された前記描画命令情報を、画像形成装置へ出力する出力ステップとを備えることを特徴とする。
【手続補正１０】
【補正対象書類名】明細書
【補正対象項目名】００１６
【補正方法】変更
【補正の内容】
【００１６】
また、請求項８に記載の発明は、オペレーティングシステムから印刷するための描画命令情報を取得し、当該取得した印刷するための描画命令情報を画像形成装置の描画命令情報に変換する変換手段を備える印刷設定制御装置を、前記オペレーティングシステムから取得した印刷するための描画命令情報を保持するテンプレート情報と印刷設定情報とを対応付けて記憶する記憶手段と、前記オペレーティングシステムから取得する印刷するための描画命令情報に対応する印刷設定を適用するか否かを指定するテンプレート適用指定手段と、前記テンプレート適用指定手段で印刷設定を適用すると指定された場合、前記印刷するための描画命令情報が前記記憶手段に予め記憶されているテンプレート情報と一致するか否かを判定するテンプレート判定手段と、前記テンプレート判定手段で前記描画命令情報が前記記憶手段に記憶されているテンプレート情報に一致すると判定された場合に、前記テンプレート情報に対応付けられている印刷設定情報を取得する取得手段と、前記取得手段で取得された印刷設定情報を用いて前記変換手段で変換された前記描画命令情報を、画像形成装置へ出力する出力手段として機能させるプログラムである。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
本発明によれば、描画命令情報に対応する印刷設定情報を自動的に取得するので、印刷実行時に、ユーザに印刷条件を設定させるためのユーザインターフェースで複雑な設定を行うことなく、取得した印刷設定情報を自動で適用することで、ユーザの操作の負担を大幅に軽減することができる。